(57)【要約】【課題】携帯電話機を用いた広告配信システムにおいて、携帯電話機を用いた広告配信システムにおいて、マーケット分析に基づく機動的な広告配信を可能とするとともに、円滑に顧客を広告主の店舗へ誘導するマーケティングシステムを提供する。【解決手段】会員の携帯電話機１、広告配信サーバ２、店主の携帯電話機３を用いる。会員登録１１、検索＆誘導機能１２、投票＆クーポン取得機能１３のそれぞれについて、会員の属性、行動を逐一送受信１０１して、データベース化している。これに基づいて、店主の携帯電話機３は、マーケット分析６等の結果を表示する。また広告作成３１を４コマ画像とこれに付随するコメントのみで可能にする。広告登録機能３０では広告対象のターゲット設定３２をし、店舗検索１２１では、これと合致するもののみを検索結果として表示する。また、ＧＰＳによる誘導１２３により確実に店へ到着１２４という結果を得る。【選択図】図１
2007188150.tif 000002
【特許請求の範囲】
【請求項１】
広告主の店舗の位置情報を含む広告コンテンツ、前記広告主が前記広告コンテンツの配信対象とする顧客の属性情報、および前記広告コンテンツを配信する配信地域の情報からなる顧客ターゲット情報を互いに関連付けて構成された広告データベースと、
位置情報検出機能を備えた携帯電話機から、携帯電話機を操作する携帯電話機の所持者の属性情報および現在位置の情報、前記携帯電話機が広告データベースを検索するよう指示した広告検索履歴、前記広告データベースを検索するための検索キーワード、を含む広告検索情報を受信する手段と、
前記広告検索情報を受信した場合に、前記広告データベースの中から、前記検索キーワードに対応する広告コンテンツであって前記顧客ターゲット情報と前記広告検索情報に含まれる顧客の属性情報とが合致する広告コンテンツを抽出して、該広告コンテンツを前記携帯電話機に送信する第１の広告送信手段と、
前記広告検索情報を受信した場合に、前記広告データベースの中から、前記顧客ターゲット情報と前記広告検索情報に含まれる顧客の属性情報とが合致する広告コンテンツを抽出して、該広告コンテンツを前記携帯電話機に送信する第２の広告送信手段と、
前記現在位置から店舗までの道順を案内する案内手段と、
を備えた広告配信サーバ。
【請求項２】
広告コンテンツの配信を受ける携帯電話機の所持者の属性と、該所持者の現在位置の情報と、前記所持者が広告を検索した広告検索履歴と、を互いに関連付けて構成されたデータベースとしてこれらの情報を蓄積する情報蓄積手段と、
広告主の店舗または前記広告主の店舗の業種に関連する前記広告検索履歴を抽出して、該抽出した広告検索履歴に対応する前記携帯電話機の所持者の属性および前記現在位置の情報を収集する広告検索者属性収集手段と、
前記携帯電話機の所持者の属性のパターンをパターンＡ、
前記携帯電話機の所持者の現在位置の情報のパターンをパターンＢとして、
前記広告検索者属性収集手段が収集した前記携帯電話機の所持者の属性および前記現在位置の情報のうち、前記パターンＡとパターンＢの組み合わせに関連するデータの頻度または前記パターンＢに関連するデータの頻度を指標として、
前記指標を複数の評価項目について分析したマーケティング情報を生成するマーケティング情報生成手段と、
前記広告主用端末装置に前記マーケティング情報を送信するマーケティング情報送信手段と、
を備える広告配信サーバ。
【請求項３】
前記広告主用端末装置の求めに応じて、前記マーケティング情報のうちのいずれかの評価項目について分析したものを、広告主が配信すべき顧客の属性または配信地域の情報として提案するためのマーケティング提案情報として、前記広告主用端末装置に送信するマーケティング提案手段をさらに備える、請求項２に記載の広告配信サーバ。
【請求項４】
広告配信先の携帯電話機に表示する画像およびテキストを選択または入力するための雛形を表示する雛形表示手段と、
広告主が広告コンテンツの配信対象とする顧客の属性情報の指定を受け付けるターゲット設定手段と、
店舗の位置情報の指定を受け付ける手段と、
前記選択または入力された画像、テキストおよび前記指定された属性情報、位置情報を請求項１に記載の広告配信サーバに対してアップロードするアップロード手段と、を備える広告主用端末装置。
【請求項５】
前記雛形表示手段は、複数コマの、画像とテキストのセットを貼り付けるよう誘導する表示を行う請求項４に記載の広告主用端末装置。
【請求項６】
前記広告主用端末装置は、カメラ付き携帯電話機であり、
前記雛形を表示する手段は、前記カメラ付き携帯電話機のカメラにより撮像した前記画像を貼り付けるよう誘導する請求項４〜５のいずれかに記載の広告主用端末装置。
【請求項７】
現在位置の情報を取得する位置情報取得手段と、
広告情報の検索の指示を受け付ける検索操作手段と、
前記広告情報の検索の指示と共に、該検索した履歴と、携帯電話機の所持者の属性情報または前記所持者のＩＤコードと、前記現在位置の情報と、を広告配信サーバに送信する広告検索情報送信手段と、
前記広告検索情報送信手段により送信した情報に基づいて広告配信サーバが検索した広告情報の結果を受信する検索結果受信手段と、
前記検索した広告情報の結果と、該広告情報に対応する店舗の位置情報とを表示すると共に、前記位置情報取得手段により得られた現在位置の情報を基にして、前記店舗まで誘導する表示を行う誘導表示手段とを備える、携帯電話機。
【請求項８】
前記広告情報に対応する評価を登録するよう誘導する表示手段と、
現在位置の情報、前記評価を、前記携帯電話機の所持者の属性情報または前記所持者のＩＤコードと共に広告配信サーバへ送信する手段と、
前記広告配信サーバから、前記携帯電話所持者の現在位置に最も近い店舗の名称と、該店舗の割引クーポンの情報と、を受信して、これらを表示する割引クーポン表示手段とをさらに備える、請求項７に記載の携帯電話機。
【請求項９】
前記広告検索者属性収集手段は、前記広告主の店舗に関連する前記広告検索履歴を抽出し、
前記マーケティング情報生成手段は、マーケティング情報として、前記指標が最も高い、または最も低い組み合わせを抽出する請求項２に記載の広告配信サーバ。
【請求項１０】
前記広告検索者属性収集手段は、前記広告主の店舗の業種に関連する前記広告検索履歴を抽出し、
前記マーケティング情報生成手段は、マーケティング情報として、前記指標が最も高い、または最も低い組み合わせを抽出する請求項２に記載の広告配信サーバ。
【請求項１１】
請求項２に記載の広告配信サーバからマーケティング提案情報を受信する手段をさらに備えた、請求項６に記載の広告主用端末装置。
【請求項１２】
請求項１、２に記載の構成を併せ持つ広告配信サーバ、またはそれぞれの構成を備える一対の広告配信サーバと、
請求項２に記載の携帯電話機の所持者が所持する、請求項７に記載の携帯電話機と、
広告配信サーバからマーケティング情報を受信する手段を備えた、請求項１、２に記載の広告端末装置である、請求項６に記載の広告主用端末装置と、
を備え、
請求項１に記載の顧客ターゲット情報は、請求項６に記載のターゲット設定手段と店舗の位置情報の指定を受け付ける手段とにより生成されたものに基づくものである広告配信システム。
【発明の詳細な説明】
【技術分野】
【０００１】
本発明は、携帯電話機を用いたマーケティングシステムを構成する装置に関する。
【背景技術】
【０００２】
従来、携帯電話機を用いた広告配信システムが開示されている（例えば、特許文献１参照。）。特許文献１には、商業主がコンピュータを利用せずに、携帯電話のメール機能のみで、特定地域、特定層の顧客に対して情報を提供できるシステムを確立するため、商業主に関する情報を記憶した商業主データベース部と、顧客のメールアドレス・属性・位置情報（ＧＰＳを含む）を記憶した顧客データベース部を備えた電子メール配信サーバシステムが開示されている。
【特許文献１】特開２００４−１５２２２４号公報
【発明の開示】
【発明が解決しようとする課題】
【０００３】
しかしながら、特許文献１のシステムは、単に、顧客の属性を基にして、ターゲットとなる顧客の属性と合致する顧客にメールを送信したりするだけであり、効果的な広告配信システムとしては十分でない問題があった。また、メールを送りつける手段では、「迷惑メールが来た」と反発を買い、顧客を広告主の店舗に導くのには感情面で敷居が高いと考えられる。
【０００４】
携帯電話機を用いる広告配信システムの広告効果をより効果的にするには、第１に、顧客が広告主の店舗への敷居を容易に乗り越えられるよう、円滑に顧客が広告主の店舗へ誘導するシステム設計が重要である。
【０００５】
第２に、広告主と顧客との需要供給のアンバランスを解消する必要がある。
【０００６】
第３に、このアンバランスをよりタイムリーに解消するには、携帯電話機の性質に特化して、その機動性のメリットを十分生かすと共に、小型ゆえに機能に制限があるというデメリットを回避する必要がある。この機動性を生かすために、刻々と変化する顧客の動きに対応して、瞬時に、必要なマーケティング情報を広告主に提供し、広告主に顧客ターゲットを提案することが望ましい。一方、その機能の制限のデメリットを回避するためには、このようなマーケティング情報、および提案として、直接的かつ端的なものを提供し、広告を簡単に配信することができることが必要となる。
【０００７】
そこで、本発明は、携帯電話機を用いた広告配信システムにおいて、マーケット分析に基づいた、より機動的な広告配信を可能とすることにより、需要供給のアンバランスを解消するとともに、円滑に顧客を広告主の店舗へ誘導する携帯電話機、広告配信装置、サーバ、マーケティングシステムの提供を目的とする。
【課題を解決するための手段】
【０００８】
本発明は、上述の課題を解決するための手段を以下のように構成している。
【０００９】
（１）本発明は、
広告主の店舗の位置情報を含む広告コンテンツ、前記広告主が前記広告コンテンツの配信対象とする顧客の属性情報、および前記広告コンテンツを配信する配信地域の情報からなる顧客ターゲット情報を互いに関連付けて構成された広告データベースと、
位置情報検出機能を備えた携帯電話機から、携帯電話機を操作する携帯電話機の所持者の属性情報および現在位置の情報、前記携帯電話機が広告データベースを検索するよう指示した広告検索履歴、前記広告データベースを検索するための検索キーワード、を含む広告検索情報を受信する手段と、
前記広告検索情報を受信した場合に、前記広告データベースの中から、前記検索キーワードに対応する広告コンテンツであって前記顧客ターゲット情報と前記広告検索情報に含まれる顧客の属性情報とが合致する広告コンテンツを抽出して、該広告コンテンツを前記携帯電話機に送信する第１の広告送信手段と、
前記広告検索情報を受信した場合に、前記広告データベースの中から、前記顧客ターゲット情報と前記広告検索情報に含まれる顧客の属性情報とが合致する広告コンテンツを抽出して、該広告コンテンツを前記携帯電話機に送信する第２の広告送信手段と、
前記現在位置から店舗までの道順を案内する案内手段と、
を備えた広告配信サーバである。
【００１０】
本発明によれば、それぞれの構成要件により、以下の作用、効果が生じる。
（１−ａ）広告データベースは、広告コンテンツ、顧客ターゲット情報を関連付けて構成されている。したがって、この顧客ターゲット情報に対応する顧客のターゲットを絞って、広告を配信できる。
（１−ｂ）広告検索情報を受信する手段は、広告を検索する検索キーワードと同時に、属性情報および現在位置の情報、広告検索履歴等を受信している。これにより、顧客の属性情報、および現在位置の情報を蓄積できる。
（１−ｃ）第１の広告送信手段は、前記広告検索情報を受信した場合に、検索キーワードに合致したものであり、かつ、広告主が配信対象としたい前記顧客ターゲット情報に合致したもののみを抽出している。したがって、携帯電話機の所持者としてはほしい情報を得られ、広告主としては顧客ターゲットを絞って広告を配信できる。
（１−ｄ）第２の広告送信手段は、前記広告検索情報を受信した場合に、検索キーワードにかかわらず、広告主が配信対象としたい前記顧客ターゲット情報に合致したもののみを抽出している。したがって、携帯電話機の所持者としては、選択する検索キーワードすら思いつかない場合でも、おすすめ情報として、思いかけずよい情報を入手することができることもあり得、広告主としては顧客ターゲットを絞って広告を配信できる。
（１−ｅ）案内手段によれば、現在位置から店舗までの道順を案内するので、確実にその店舗まで携帯電話機の所持者を店舗まで導くことができる。
（１−ｆ）以上のとおり、第１、第２の広告送信手段は、顧客が情報を入手したいとして、検索キーワードを送信したような能動的なアクションを起こしたときに、第１の広告送信手段が検索結果として広告情報を提供するので、効果的な広告の配信ができる。一方、特許文献１のように、迷惑メールとして送りつけられ、見てもらえない情報となり得るものとは大きく異なる。さらに、本発明では第１の広告送信手段の送信する広告に紛れ込んで、第２の広告送信手段が、例えばおすすめ情報として検索キーにかかわらず広告を流し込むから、第１、第２の広告送信手段の相乗的効果により、広告効果を上げることができる。さらに、本発明は、特許文献１と異なり、このような検索という携帯電話機の所持者の行動を用いているので、携帯電話機の所持者の属性情報および現在位置の情報、広告検索履歴を収集できる。これにより、副次的効果として、マーケティング解析に用いることができるような有用な情報を収集できる。
【００１１】
なお、前記案内手段は、例えば携帯電話機の所持者が、ＧＰＳ機能つき携帯電話機を所持している場合に、店舗までのルートを検索して、表示するなどの手段を備えることが考えられる。
【００１２】
（２）本発明は、
広告コンテンツの配信を受ける携帯電話機の所持者の属性と、該所持者の現在位置の情報と、前記所持者が広告を検索した広告検索履歴と、を互いに関連付けて構成されたデータベースとしてこれらの情報を蓄積する情報蓄積手段と、
広告主の店舗または前記広告主の店舗の業種に関連する前記広告検索履歴を抽出して、該抽出した広告検索履歴に対応する前記携帯電話機の所持者の属性および前記現在位置の情報を収集する広告検索者属性収集手段と、
前記携帯電話機の所持者の属性のパターンをパターンＡ、
前記携帯電話機の所持者の現在位置の情報のパターンをパターンＢとして、
前記広告検索者属性収集手段が収集した前記携帯電話機の所持者の属性および前記現在位置の情報のうち、前記パターンＡとパターンＢの組み合わせに関連するデータの頻度または前記パターンＢに関連するデータの頻度を指標として、
前記指標を複数の評価項目について分析したマーケティング情報を生成するマーケティング情報生成手段と、
前記広告主用端末装置に前記マーケティング情報を送信するマーケティング情報送信手段と、
を備える広告配信サーバである。
【００１３】
本発明によれば、それぞれの構成要件により、以下の作用、効果が生じる。
（２−ａ）情報蓄積手段は、携帯電話機の所持者の属性、位置情報、広告検索履歴を蓄積している。これにより、マーケティング情報を生成するためのデータを蓄積できる。
（２−ｂ）広告検索者属性収集手段は、（２−ｂ−１）広告主の店舗または前記広告主の店舗の業種に関連する前記広告検索履歴を抽出しており、これにより、広告主の店舗または前記広告主の店舗の業種に関連する情報を集積できる。また、これらの情報は、前記情報蓄積手段により、携帯電話機の所持者の属性、位置情報と関連付けられており、広告検索者属性収集手段は、（２−ｂ−２）該抽出した広告検索履歴に対応する前記携帯電話機の所持者の属性および前記現在位置の情報を収集する。これにより、広告主の店舗または前記広告主の店舗の業種を検索したものの、属性、位置情報の傾向が分かる。
（２−ｃ）マーケティング情報生成手段は、広告検索者属性収集手段が収集した結果に基づき、マーケティング情報を生成する。
（２−ｄ）マーケティング情報送信手段は、前記広告主用端末装置に前記マーケティング情報を送信する。これにより、広告主は、自ら情報収集しなくとも、自己の店舗、または前記広告主の店舗の業種に関連するマーケティング情報を入手できる。
（２−ｅ）以上の構成、作用、効果により、今までマーケティングに無縁であった広告主も、手軽にマーケティング情報を収集できる。また、この指標は、いずれも携帯電話機の所持者の現在位置の情報のパターンＢを含んでおり、現在位置の情報という新鮮な情報を用いているから、これに基づいて広告を前記サーバに登録、サーバから配信することができる。そうすると、「近いし、せっかくだから行ってみようか。」ということになり、集客効果を向上させることができる。しかしながら、このような新鮮な情報は、時と共に変わっていき、もたもた分析していると、せっかくターゲット（例えば、広告主の店舗の近くにいる客）を絞っても、散ってしまうことにもなる。本発明で分析する指標は、前記パターンＡとパターンＢは、ニーズの有無を顧客の属性の観点から分析した指標であることから、「どのパターンの顧客をターゲットにすべきか」という、広告配信先を決めるのに直結する情報を分析でき、広告主用端末装置に提供できる。したがって、関心がありそうな客層がいる場所を踏まえて、または「呼び寄せるまでもなく、初めから近くにいる客」に対し、直ちにターゲットを絞り込んだ機動的な対処、具体的には広告を配信することが可能になる。
【００１４】
なお、上記（２―c）の属性のパターンＡとは、例えば、（男性、２０代、事務職、ラーメン好き）、（女性、４０代、無職、なべ好き）など、１または複数の属性の組み合わせパターンをいう。現在位置の情報のパターンＢとは、川原町、祇園、京都駅前などのエリアパターンをさし、属性のパターンと現在位置の情報のパターンの組とは、（男性、２０代、事務職、ラーメン好き、川原町）などのパターンをさす。各要素とは、男性または女性、２０代または３０代または４０代、事務職または肉体労働者、ラーメン好きまたはなべ好き等の各要素をいう。マーケティング情報生成手段は、広告検索者属性収集手段が収集した前記携帯電話機の所持者の属性および前記現在位置の情報のうち、これらのパターンに関連するデータの頻度を指標として、そのパターンＡ，Ｂの頻度を複数の評価項目について分析する。例えば、（男性、２０代、事務職、ラーメン好き、川原町）の属性パターンに関連するデータは、どの程度の頻度か、または、川原町に関連するデータの頻度は、どの程度かを分析する。
【００１５】
（３）本発明は、
前記広告主用端末装置の求めに応じて、前記マーケティング情報のうちのいずれかの評価項目について分析したものを、広告主が配信すべき顧客の属性または配信地域の情報として提案するためのマーケティング提案情報として、前記広告主用端末装置に送信するマーケティング提案手段をさらに備える。
【００１６】
本発明によれば、前記マーケティング情報のうちのいずれかの評価項目について分析したものを広告主が配信すべき顧客の属性または配信エリアとして直接的に提案するので、マーケティング分析になじみが薄いような広告主に対しても、どこにターゲットを絞るべきかを機動的に得ることができる。
【００１７】
（４）本発明は、
広告配信先の携帯電話機に表示する画像およびテキストを選択または入力するための雛形を表示する雛形表示手段と、
広告主が広告コンテンツの配信対象とする顧客の属性情報の指定を受け付けるターゲット設定手段と、
店舗の位置情報の指定を受け付ける手段と、
前記選択または入力された画像、テキストおよび前記指定された属性情報、位置情報を（１）に記載の広告配信サーバに対してアップロードするアップロード手段と、を備える広告主用端末装置。
【００１８】
本発明の雛型表示手段によれば、広告配信先の携帯電話機という小さく限られた機能に対して予め定めた雛形という形を採用することにより、端的かつ機動的な広告配信が可能となる。ターゲット設定手段によれば、顧客の属性情報の指定により客層を絞り込むことができ、店舗の位置情報の指定を受け付ける手段によれば、広告に、この位置情報を貼り付けることができるから、この狙った客が興味を持った場合に、確実にその店舗に誘導することが可能となる。アップロード手段によれば、このような効果を奏する内容の広告コンテンツをアップロードできる。
【００１９】
（５）本発明は、
前記雛形表示手段は、複数コマの、画像とテキストのセットを貼り付けるよう誘導する表示を行う。
【００２０】
本発明は、（４）の前記雛形表示手段の具体例であり、複数コマの画像とテキストのセットという簡易な構成で雛形を構成しており、端的かつ機動的な広告配信が可能となる。
【００２１】
（６）本発明は、
前記広告主用端末装置は、カメラ付き携帯電話機であり、
前記雛形を表示する手段は、前記カメラ付き携帯電話機のカメラにより撮像した前記画像を貼り付けるよう誘導する。
【００２２】
前記広告主用端末装置は、カメラ付き携帯電話機であり、カメラにより撮像した前記画像を貼り付けるよう誘導するから、（４）、（５）の構成に増して機動的な広告配信が可能となる。例えば、（店舗の外にある）市場の仕入れ状況を撮像し、そのまま広告をアップロードすることができる。
【００２３】
（７）本発明は、
現在位置の情報を取得する位置情報取得手段と、
広告情報の検索の指示を受け付ける検索操作手段と、
前記広告情報の検索の指示と共に、該検索した履歴と、携帯電話機の所持者の属性情報または前記所持者のＩＤコードと、前記現在位置の情報と、を広告配信サーバに送信する広告検索情報送信手段と、
前記広告検索情報送信手段により送信した情報に基づいて広告配信サーバが検索した広告情報の結果を受信する検索結果受信手段と、
前記検索した広告情報の結果と、該広告情報に対応する店舗の位置情報とを表示すると共に、前記位置情報取得手段により得られた現在位置の情報を基にして、前記店舗まで誘導する表示を行う誘導表示手段とを備える、携帯電話機である。
【００２４】
顧客である携帯電話機の所持者が店舗にたどり着くためには、押し付けでない告知により、敷居が高くなく、感情的にも手続き的にも段階を踏んで、その店舗に導くであることが、マーケティング上望ましい。例えば、いきなり「買え！」といわんばかりに広告メールを送りつけるのでは、感情的に敷居が高くたどり着くことができないし、広告に周辺地図が図示されていなければ、手続き的のみならず感情的にも敷居が高く、たどり着くことが困難である。
【００２５】
本発明は、店舗まで誘導する表示を行う誘導表示手段を備えており、前記所持者は、有用な情報を提供できる。そのような付加価値がある機能が背景にあるから、前記所持者にとって有用なコンテンツであるとして、検索、広告閲覧という能動的動作に入りやすい。しかも、この誘導手段により、その店舗に導くことが容易である。以上のとおり、本発明によれば、店舗にたどり着くための敷居も低く、段階を踏んでいるから、上記マーケティングのセオリーどおりであり、集客効果が高い。また、このような能動的動作を用いているから、広告効果を高めることができると共に、本発明の広告検索情報送信手段によれば、相手装置の広告配信サーバは、携帯電話機の所持者の情報を収集でき、マーケティング分析を行うための情報収集を行うことが可能となる。
【００２６】
（８）本発明は、
前記広告情報に対応する評価を登録するよう誘導する表示手段と、
現在位置の情報、前記評価を、前記携帯電話機の所持者の属性情報または前記所持者のＩＤコードと共に広告配信サーバへ送信する手段と、
前記広告配信サーバから、前記携帯電話所持者の現在位置に最も近い店舗の名称と、該店舗の割引クーポンの情報と、を受信して、これらを表示する割引クーポン表示手段とをさらに備える。
【００２７】
本発明によれば、割引クーポンを代償にして店舗の評価を集めることができる。また、現在位置の情報を広告配信サーバに送信するから、携帯電話機の所持者としては、店舗名称を入力せずに済む。また、この評価をしたことと伴って、この評価をした携帯電話機の所持者の属性情報に結びつく情報および位置情報を送信することになるから、相手装置の広告配信サーバとしては、多くのマーケティング情報のためのデータを得ることができる。
【００２８】
（９）本発明は、
前記広告検索者属性収集手段は、前記広告主の店舗に関連する前記広告検索履歴を抽出し、
前記マーケティング情報生成手段は、マーケティング情報として、前記指標が最も高い、または最も低い組み合わせを抽出する。
【００２９】
本発明は、請求項２の具体例であり、前記広告検索者属性収集手段は、広告主の店舗に関連する前記広告検索履歴を抽出しており、広告主の店舗に関連するマーケティング情報を抽出できる。前記マーケティング情報生成手段は、マーケティング情報として、前記指標が最も高い、または最も低い組み合わせを抽出する。前記指標が最も高いものを抽出することで、その店舗がどのような客層に受け入れられているかを判断でき、これに合致した商品を投入することが可能となる。また、最も低い組み合わせを抽出することで、その店舗が、受け入れられていない未発掘の客層を知ることができ、新たな商品開発を喚起できる。
【００３０】
（１０）本発明は、
前記広告検索者属性収集手段は、前記広告主の店舗の業種に関連する前記広告検索履歴を抽出し、
前記マーケティング情報生成手段は、マーケティング情報として、前記指標が最も高い、または最も低い組み合わせを抽出する。
【００３１】
本発明は、請求項２の具体例であり、前記広告検索者属性収集手段は、広告主の店舗の業種に関連する前記広告検索履歴を抽出しており、広告主の店舗に関連するマーケティング情報を抽出できる。前記マーケティング情報生成手段は、マーケティング情報として、前記指標が最も高い、または最も低い組み合わせを抽出する。前記指標が最も高いものを抽出することで、その店舗の業種がどのような客層に受け入れられているかを判断でき、これに合致した商品を投入することが可能となる。また、最も低い組み合わせを抽出することで、その業界が、受け入れられていない未発掘の客層を知ることができ、いわゆる隙間産業の需要を把握でき、新たな商品開発を喚起できる。
【００３２】
（１１）本発明は、
（２）に記載の広告配信サーバからマーケティング提案情報を受信する手段をさらに備えた、（６）に記載の広告主用端末装置である。
【００３３】
本発明は、これら、（２）、（６）の単なる組み合わせでなく、相反する機能を兼ね備えており、有利な効果が生じている。即ち、広告配信サーバは、大量の情報収集能力があるが、持ち運べるといった機動性はない。一方、広告主用端末装置は、カメラつき携帯電話機であり、前記カメラにより屋外で機動的に広告を登録し、配信することができる一方、このような大量の情報収集能力は、望むことができない。
【００３４】
本発明は、広告配信サーバから情報提供を得ることで、携帯電話機の起動性と、サーバの情報収集能力を兼ね備えた広告配信が可能な装置となっている。そして、本発明によれば、前記広告配信サーバが入手する位置情報の分析に対応して、カメラの撮像、雛形表示手段の援用により、機動的な広告配信ができる。例えば、（店舗の屋外である）市場でその仕入れ情報と、顧客属性、現在位置の情報に基づくマーケティング情報に基づいて、即座に広告を登録し、配信することができる。
【００３５】
（１２）本発明は、
（１）、（２）に記載の構成を併せ持つ広告配信サーバ、またはそれぞれの構成を備える一対の広告配信サーバと、
（２）に記載の携帯電話機の所持者が所持する、（７）に記載の携帯電話機と、
広告配信サーバからマーケティング情報を受信する手段を備えた、（１）、（２）に記載の広告端末装置である、（６）に記載の広告主用端末装置と、
を備え、
（１）に記載の顧客ターゲット情報は、（６）に記載のターゲット設定手段と店舗の位置情報の指定とを受け付ける手段により生成されたものに基づくものである広告配信システム。
【００３６】
本発明によれば、前記携帯電話機は、（７）の構成を備えるので、前記所持者が検索という能動的手段を用い、かつ誘導表示手段により、手続き的に段階を踏んで、広告主の店舗に誘導することができる。会員の属性、動作は逐一広告検索情報送信手段が前記広告配信サーバに送信して、この広告配信サーバは、（２）の構成を備えるから、マーケティング情報生成手段は、会員の現在位置の情報等を基にして、マーケティング情報を生成でき、かつマーケティング情報送信手段は、これを広告主用端末装置に送信できる。
【００３７】
（６）の構成の広告主用端末装置は携帯電話機であるから、この大量の会員情報を基にした、マーケティング情報をどこでも得ることができ、ターゲット設定手段により、ターゲット設定が可能となる。
【００３８】
また、（６）の構成の広告主用端末装置は、雛形表示手段の誘導により、画像およびテキストを選択または入力するだけで容易に広告を作成でき、携帯電話機の機能制限を回避したものになっている。それだけでなく、（６）の構成の広告主用端末装置は、カメラ付きの携帯電話機であることから、この画像をカメラ付き携帯電話機のみで撮像でき、携帯電話機一台で完結した広告作成が可能となる。このような容易な広告配信が可能であるから、現在位置の情報という新鮮なマーケティング情報に対応して、迅速に広告をアップロードできる。例えば、朝に、市場に出かけて、この大量の会員情報を基にしたマーケティング情報を得て、さらに、市場の仕入れ状況をも踏まえて、その上で、ターゲットを絞り込んだ広告の作成が可能である。
【００３９】
また、前記広告配信サーバは、（１）の構成の機能を備える、前記顧客ターゲット情報は、（６）の構成の携帯電話機のターゲット設定手段と店舗の位置情報の指定を受け付ける手段により生成されたものに基づくものである。ここで、（６）は（４）または（５）の構成を引用し、（５）は（４）の構成を引用するから、（６）は（４）の構成を引用していることになる。したがって、本発明では、前記顧客ターゲット情報は（４）を引用する（６）に記載のターゲット設定手段により生成されているから、携帯電話機の所持者が検索するときには、第１、２の広告送信手段いずれの場合にも、前述のとおり広告主がターゲットを絞り込んだ対象となる所持者にのみ広告を配信することができる。それだけでなく、この携帯電話機の所持者としても、前述のようなマーケティング情報に基づいたニーズにあったものを得ることができる。
【００４０】
また、このマーケティング情報は、携帯電話機所持者の位置情報に基づき生成されており、かつ前述のとおり機動的な広告配信が可能であるから、携帯電話機の所持者はジャストタイミングで有用な情報を得ることができる。そして、検索時に携帯電話機の所持者が得る情報には、店舗の位置情報の指定を受け付ける手段による生成されたものに基づくものが含まれている。そうすると、携帯電話機の所持者は、タイミングよく店舗情報を取得できるだけでなく、容易に店舗にたどり着ける情報を得ることができるから、（７）の構成の携帯電話機の検索操作手段の有用性がますます高まり、前記所持者が検索という能動的手段をもっと活用することになることが期待できる。したがって、本システムによれば、よりスムーズに広告主の店舗へ誘導でき、集客効果を向上させることが期待できる。
【発明の効果】
【００４１】
本発明の携帯電話機によれば、手続き的にも感情的にも円滑に携帯電話機の所持者を広告主の店舗に導くことができると共に、マーケティングのための情報収集が可能となる。本発明の広告配信装置によれば、必要かつ端的なマーケティング情報を入手できると共に、これに基づいて機動的かつ容易に広告情報を配信できる。本発明の広告配信サーバによれば、必要かつ端的なマーケティング情報を広告主に提供できる。また、顧客が店舗を検索するときに、広告主が定めたターゲットとする顧客のみに対して、広告情報を送信できる。さらに、広告配信システムによれば、よりスムーズに広告主の店舗へ誘導でき、集客効果を向上させることが期待できる。
【発明を実施するための最良の形態】
【００４２】
＜本実施形態の広告配信システムの概要＞
図１を用いて、本実施形態の本実施形態の広告配信システムの構成の概要について説明する。図１は、この構成を機能面から図示したものである。なお、図１中、各装置の中に示した実線の四角は、このシステムを構成する機器の機能を表しており、長円は、これを所持する者が得る結果を示している。図１の破線の矢印は、送受信１０１、１０２のうちの主なデータの送信を表している。
【００４３】
図１に示すように、本実施形態の広告配信システムは、観光客等である会員と、店主である広告主とをつなぐものであり、会員の携帯電話機１、広告配信サーバ２および、店主の携帯電話機３の３種類の装置で構成される。少なくとも、会員の携帯電話機１は、位置情報を取得できるようＧＰＳ機能付きの携帯電話とする。
【００４４】
なお、ここでいう会員とは、何らかの方法で、広告配信サーバ２が会員の属性情報、例えば性別、年齢等を取得している者をいう。この属性情報の取得は、携帯電話機のウェブサイトからの登録によるものでも良く、携帯電話機の加入時の登録によるものでも良く、それ以外の郵送等による登録後、広告配信サーバ２に手動で入力することによるものでも良い。以下、携帯電話機のウェブサイトからの登録によるものを例に取り説明する。
【００４５】
図１の会員の携帯電話機１は、通話機能のほかに、観光客が本実施形態の広告配信システムのサービスに加入するための会員登録１１、観光客がこのサービスの会員になった場合に、店舗を検索して、その店舗まで導く検索＆誘導機能１２等の機能を備えている。会員は、これにより、店へ到着１２４という結果を得る。
【００４６】
また、会員の携帯電話機１は、投票＆クーポン取得機能１３を備える。また、会員が店舗の広告閲覧１２２をしたときには、その店のクーポンを得ることができる。また、会員は、その携帯電話１を用いて投票１３１を行うことができ、その店舗の評価を決めることができる。割引クーポン取得１３３をこの投票１３１の見返りにしてもよい（図１では、そのように図示している。）。会員の携帯電話機１は、これらの１１〜１３の動作の指示を会員が行うと、データの送信１４１〜１４４を逐一行い、広告配信サーバ２は、これら受信したデータをマーケット情報のための基礎データとして蓄積する。
【００４７】
図１の広告配信サーバ２は、会員の携帯電話機１と店主の携帯電話機３をつなぐ機能と、図１の中央に示すようなデータベース２１（以下、適宜「データベース」を「ＤＢ」（Data Base）と略す。）を備えている。データベース２１には、前述した会員の動作登録情報等が蓄積されている。広告配信サーバ２は、マーケット分析６のためのデータを生成すると共に、店主の携帯電話機３にどの属性の会員をターゲットにすべきかのリコメンド４８の情報を生成し、これらの情報の送信２４３を行う。
【００４８】
店主の携帯電話機３は、広告主がターゲットとすべき顧客属性情報を推奨するリコメンド４８を広告配信サーバ２に対して要求することができ、この要求に応じてリコメンド４８の送信を受ける。また、店主の携帯電話機３は、広告配信サーバ２から広告作成支援プログラム３００のダウンロード２４４をして、広告登録機能３０を実行できる。また、広告主は、作成した広告のアップロード３４の指示ができ、広告配信サーバ２に広告の送信３５２をする。
【００４９】
店主の携帯電話機３で作成された広告は、図１に示すように広告配信サーバ２の広告ＤＢ２３として蓄積される。広告配信サーバ２は、会員が店舗検索１２１をしたときに広告ＤＢ２３の中から該当するものを検索して、配信する。
【００５０】
＜本実施形態の広告配信システムの特長＞
次に図２を用いて、本実施形態の広告配信システムの主な特長を３つ説明する。図２は、本実施形態の広告配信システムの主な特長を示した図である。なお、図２の矢印は、図２で示す特徴を得るまでの流れを示している。
【００５１】
図２（Ａ）に示すように、このシステムの特長の１つとして、端的かつ直接的なマーケット戦略を店主に提供する点が挙げられる。種々の会員の行動４４、即ち、図１で示した会員登録１１、検索＆誘導機能１２、投票＆クーポン取得機能１３を用いた行動により、広告配信サーバ２に情報の蓄積４５が行われる。図１の広告配信サーバ２は、この情報の蓄積４５に基づいて、会員ＤＢ４１、検索履歴ＤＢ４２、位置情報ＤＢ４３のデータを更新する。図１に示すように、これらのデータベース４１〜４３は、相互に関連付けられ、相互に参照、検索することができる。そして、広告配信サーバ２は、蓄積したデータに基づいて定期的にマーケット分析６を行う。マーケット分析６では、複数の評価項目を定め、それぞれの評価項目について、会員ＤＢ４１に登録された性別、年齢、嗜好の分類、および位置情報ＤＢ４３の位置情報を指標として、これらの評価項目をそれぞれ分析する（なお、このマーケット分析６は、図６の説明で後述する。）。この分析により、どのような属性の需要者が広告主の店舗や、この店舗の業界に興味を持っているかを定量的な値で知ることができる。例えば、広告主の店舗や、その店舗と同業種の店舗を検索した会員の属性等を数値として、集計することができる。これにより、店舗を検索した会員の（会員の属性、位置情報）のパターンのうち最頻値を求めることができる。この最頻値は、どのパターンの会員が、その広告主またはその業種について、最も興味を持っているかというマーケティングの評価となる。
【００５２】
さらに、図２のリコメンド４８では、マーケット分析６から得られた結果から、上述した性別、年齢、嗜好の分類、位置情報を指標として、「どの指標に属する会員をターゲットにすべきか？」について端的に示す。例えば、「女性で、年齢３０歳〜３５歳の方で、食べ歩きが趣味で、現在位置が京都の四条川原町付近の人をターゲットにしましょう。」という風に示すことができる。このようにして、広告配信サーバ２は、今までマーケット戦略という言葉に無縁であった店主である広告主に対して、端的かつ直接的なマーケット戦略を提供することができる。しかもＧＰＳによる位置情報を用いて、広告配信サーバ２は、人の動きである動線を把握しているので、広告主は、リアルタイムかつ機動的に広告配信のターゲットを絞り込むことができる。
【００５３】
また、図２（Ｂ）に示すように、本システムの特長の２つ目として、モバイル機器による機動的な広告配信が可能な点が挙げられる。図２（Ａ）で示したような、機動的な広告配信に対応するためには、モバイル機器の機動性を生かしつつ、機能的制約を回避するシステムが必要である。
【００５４】
図１で示した店主の携帯電話機３の広告登録機能３０が、この特長を備えている。広告登録機能３０の広告作成３１は、図２（Ｂ）で示すように、簡易な４コマの画像とそのコメントで広告を作成するよう誘導する。店主の携帯電話機３は、カメラが付いており、所食事メニュー等の撮像が１つの携帯電話３で、その場で可能である。このように広告作成３１は、機能的制約を回避しつつ、店主の携帯電話機３の利点を生かした誘導機能となっている。
【００５５】
さらに広告登録機能３０のターゲット設定３２では、ターゲットとなる会員を絞り込むことができる。（なお、以下「ターゲット」とは、広告主が定めた、広告を配信する対象となる会員の属性をいうことにする。この属性は、例えば、年齢、性別、職業、嗜好、独身／既婚等とすることができる。）。また、店主の携帯電話機３は、広告主の店舗のＧＰＳ情報を広告作成３１で作成した広告に貼り付けることができる（３３の符号。）。なお、図２（Ａ）で説明したリコメンド４８に基づき、即座にターゲットとなる会員を絞り込むこともでき、この場合、自動的にターゲットを貼り付ける。
【００５６】
以上で説明した店主の広告登録機能３０により、広告主は、例えば、朝に、店頭で、または市場で品物の入りを見て、ランチメニューについての広告を作成し、広告配信サーバ２にこの広告のアップロード３４をすることができる。そして、会員の携帯電話機１で店舗の検索１２１を行なった会員は、ＧＰＳによる誘導１２３により道に迷うことがないから、会員は昼のランチに間に合う３６という結果を確実に得ることができる。
【００５７】
以上のとおり、本実施形態の広告配信システムによれば、（ａ）広告作成３１、（ｂ）マーケット分析６に基づくターゲット設定３２、（ｃ）会員を確実に店舗に連れてくるという一連の流れを、たったの数時間のうちに円滑に成し遂げることができることも可能となる。
【００５８】
図２（Ｃ）に示すように、本システムの特長の３つ目として、ターゲットを絞った広告検索＆表示が挙げられる。図２（Ｂ）で示したターゲット設定３２が有効になるためには、広告情報が配信される会員をターゲットに絞り込む必要がある。本システムは、会員が店舗検索１２１を行う段階で、さらにターゲットの絞込みを行う。この絞込みによれば、たとえ会員の１人が検索したとしても、会員の検索キーにヒットする全店舗の情報が届くのでなく、広告主がターゲット設定３２で設定した属性を持つ会員にのみ広告情報が届く。
【００５９】
まず、図２（Ｃ）の店舗検索１２１の前提として、広告配信サーバ２の内部で、広告ＤＢ２３はターゲット設定３２を集積したデータベース（後述、図４の客層ターゲットＤＢ２９５参照。）と関連付けられている。広告配信サーバ２は、広告ＤＢ２３の中から会員が指示した検索結果を抽出する（この抽出結果を以下「クエリ」という）。
次に、この抽出したデータベースのクエリの中から、店主がターゲット設定３２を設定した会員にのみ広告が届くよう、フィルタ５２によりこのクエリに絞りをかける。その際には、会員の属性の参照５３を行う。
【００６０】
なお、フィルタ５２では、広告ＤＢ２３を予め店主のターゲット設定３２と会員の属性とが合致するデータベースを抽出してから、会員が指示した検索を行なってもよい。
【００６１】
以上、図２で示したとおり、本実施形態の広告配信システムによれば、携帯電話機のメリットを生かしつつ、その機能制限を考慮したものとなっており、機動的であり、かつ、会員のターゲットを絞った広告配信が可能となる。
【００６２】
次に、図３〜図５を用いて、本実施形態の広告配信システムを構成する各機器について、説明する。これらの図は、それぞれ会員の携帯電話機１、広告配信サーバ２、店主の携帯電話機３の構成を表している。
【００６３】
図３を用いて、会員の携帯電話機１について説明する。会員の携帯電話機１は、外観構成１Ａと、その内部に内部構成１Ｂを備える。外観構成１Ａとして、操作部１５１と、表示部１５２とカメラ１５３とアンテナ１５４を備える。また、内部構成１Ｂとして、ＣＰＵ１６１と、画像処理部１６２と送受信部１６３とＧＰＳ受信部１６４とメモリ１９を備える。以下、それぞれ説明する。
【００６４】
図３の外観構成１Ａに含まれる操作部１５１は、複数の操作子からなり、数字、文字の入力を受け付ける。表示部１５２は、文字や画像を表示できる。カメラ１５３は、撮像素子を備え、この撮像素子により撮像した画像をディジタルデータとして格納する。アンテナ１５４は、広告配信サーバ２と、音声、文字、画像データを送受信する。
【００６５】
図３の内部構成１Ｂに含まれるＣＰＵ１６１は、操作部１５１の指示を受けて、会員の携帯電話機１全体の動作を統括制御する。また、メモリ１９内のプログラムを動作させ、メモリ１９内のデータを処理する。
【００６６】
図３の画像処理部１６２は、ＣＰＵ１６１の指示に従い、表示部１５２に出力する信号を生成する。例えば、画像データ、文字データを表示する信号を生成する。
送受信部１６３は、ＣＰＵ１６１が生成したデータ等を広告配信サーバ２と送受信する機能を備える。ＧＰＳ受信部１６４は、アンテナ１５４から取得したＧＰＳ情報を受信して、緯度、経度をＣＰＵ１６１に出力する。
【００６７】
図３のメモリ１９は、各種データ、プログラムを格納している。なお、メモリ１９は、実装上必ずしも１つである必要はなく、メモリ１９が格納するプログラムやデータは、可能であればＲＯＭとして格納していても良い。メモリ１９が格納するプログラム、データの機能については後述する。
【００６８】
次に、図４を用いて、広告配信サーバ２の構成について説明する。広告配信サーバ２は、一般的なサーバの構成を備えており、外観構成２Ａと、その内部に内部構成２Ｂを備える。外観構成２Ａは、キーボード２５１とディスプレイ２５２と、図示しないサーバの筐体を備える。内部構成２Ｂは、この筐体内部にＣＰＵ２６１と画像処理部２６２と送受信部２６３とメモリ２６４と記憶装置２９を備える。以下、それぞれ説明する。
【００６９】
外観構成２Ａのキーボード２５１は、汎用コンピュータのキーボードであり、文字、記号を入力できる複数の操作子を備える。ディスプレイ２５２は、例えば液晶ディスプレイであり、文字、画像をスクリーンに映し出す。
【００７０】
内部構成２ＢのＣＰＵ２６１は、キーボード２５１、マウス（不図示）の指示を受けて広告配信サーバ２を統括制御すると共に、記憶装置２９のプログラムをメモリ２６４に読み込んで種々の計算を行い、メモリ２６４内のデータを処理する。
【００７１】
画像処理部２６２は、例えば、汎用のビデオカードで構成する。画像処理部２６２は、ＣＰＵ２６１の指示に従い、表示部２５２に出力する信号を生成する。例えば、画像データ、文字データを表示する信号を生成する。
【００７２】
送受信部２６３は、ルータ等を備え、図示しない携帯電話機１、３の中継局からのデータを送受信する。
【００７３】
メモリ２６４は、ＲＯＭおよびＲＡＭを備える。ＲＡＭには記憶装置２９に格納されたプログラム、データを読み込む。記憶装置２９には、各種のプログラム、データベースを備える。
【００７４】
図５を用いて、店主の携帯電話機３について説明する。店主の携帯電話機３は、外観構成３Ａと内部構成３Ｂを有し、会員の携帯電話機１と同様の機能を備える。その説明は、会員の携帯電話機１と同じ符号を付して上述の説明を準用する。また、店主の携帯電話機３は、内部構成３Ｂの内部のメモリに、店主の携帯電話機３に特有のプログラム（６４、４８０、５０）や店舗データ３９１を備える。このプログラム等については、後述する。
【００７５】
なお、店主の携帯電話機３には、通常、観光客である会員が使用し、必ずしも店主の携帯電話機３としては必要でないものが含まれるが、広告作成後の動作確認のため、店主の携帯電話機３に含めている。
【００７６】
＜本実施形態の広告配信システムのプログラム、データベースの説明＞
次に、図１を用いて、図３、図５のメモリ１９、３９、図４の記憶装置２９に格納されたプログラムについて説明する。なお、図３〜図５のプログラム、データベースは、関連の度合いが高いものを破線でまとめて記載している。
【００７７】
まず、図３の会員データ１１１、会員登録プログラム１１０、会員ＤＢ４１について説明する。会員登録プログラム１１０は、図１の会員登録１１の機能を実行するものであり、ウェブプログラムとして広告配信サーバ２からダウンロードされる。会員は携帯電話機１を所持しており、これを用いて、図１の会員ＤＢ４１に示すような情報、例えば、年齢、性別、職業、会員の嗜好、独身／既婚等を登録し、広告配信サーバ２に対して、そのデータの送信１４１を行う。会員の携帯電話機１にも、会員データ１１１としてメモリ１９に記録される。また、会員データ１１１は、その会員のＩＤコードを含んでいるため、単に会員を識別するときには、このＩＤコードを送信すれば十分である。会員ＤＢ４１は、会員登録１１で送信されたデータがデータベースとして蓄積されたものである。この会員ＤＢ４１は、前述のとおりマーケット分析を行う上で、会員の属性として用いる。
なお、メモリ１９は、会員データ１１１全部の代わりにこのＩＤコードのみを保持していても良い。
【００７８】
次に、図３、図５の広告データ１９１、検索指示プログラム１２０、図４の広告ＤＢ２３、客層ターゲットＤＢ２９５について説明する。
【００７９】
広告ＤＢ２３は、図１のアップロード３４でサーバに送信３５２がされた広告データ（地図画像、ターゲット情報をのぞく。）が、広告配信サーバ２内部にデータベースとして蓄積されたものである。店舗検索１２１のときには、広告ＤＢ２３の一部が検索結果として送信２４２が行われる。
検索指示プログラム１２０は、広告配信サーバ２からダウンロードするウェブプログラムであり、店舗検索１２１で、店舗の検索を指示する。
【００８０】
そして、会員の携帯電話機１内の広告データ１９１は、図１の店舗検索１２１で検索したときに、広告ＤＢ２３の一部が、この検索結果としてダウンロードされたものである。客層ターゲットＤＢ２９５は、前述のとおりアップロード３４がされた広告データのうち、ターゲット設定３２のデータをデータベースとして蓄積したものである。客層ターゲットＤＢ２９５は、広告主が広告作成時にターゲットとなる配信先の会員の属性を表したデータが蓄積されている。そして、客層ターゲットＤＢ２９５は、広告ＤＢ２３と関連付けられている。
【００８１】
次に、図４の地図ＤＢ２２、図３のＧＰＳ誘導プログラム１２５、地図データ１９２について説明する。地図ＤＢ２２は、地図の図形、各所のデータを表したデータベースである。地図ＤＢ２２は、図１の広告閲覧１２２またはＧＰＳによる誘導１２３で、店舗の地図を示すために用いる。地図ＤＢ２２は、広告主がＧＰＳ情報貼り付け３３で作成したＧＰＳ情報に基づいて表示すべき地図情報を格納している。図１のＧＰＳによる誘導１２３を指示すると、ＧＰＳ誘導プログラム１２５が起動する。ＧＰＳ誘導プログラム１２５は、図３のＧＰＳ受信部１６４に指示して現在位置を取得し、広告配信サーバ２は、地図ＤＢ２２から目標値周辺の地図の送信２４１を行う。この送信２４１がされたデータが地図データ１９２である。また、ＧＰＳ誘導プログラム１２５は、目標位置となる店舗のＧＰＳデータを、店舗検索１２１で検索した広告データ１９１から取得し、画像処理部１６２に指示して、この目標位置を表示する。さらに、ＧＰＳ誘導プログラム１２５は、現在地から目標位置までのルートを地図データ１９２から検索する。なお、このルート検索は、広告配信サーバ２が行うよう、ＧＰＳ誘導プログラム１２５がサーバ内部のプログラム（不図示。）に指示するものでもよい。
【００８２】
次に、図３の投票＆クーポン取得プログラム１３０および図１の投票＆クーポン取得機能１３についてさらに詳しく説明する。投票＆クーポン取得プログラム１３０は、広告配信サーバ２からウェブプログラムとしてダウンロードして投票＆クーポン取得機能１３を動作させる。このプログラムの誘導に従い、店舗の評価を選択する。例えば、サービス、料理の味、雰囲気が「とても良い、良い、よくない」といった評価を選択するよう誘導する。次に、図１のＧＰＳ情報取得１３２では、会員がこの評価を選択し、その結果をこのプログラムに登録すると、会員の携帯電話機１は、ＧＰＳ受信部１６４に強制的にＧＰＳ情報を取得するよう指示する。これにより、最も近いＧＰＳ情報が登録されたものが表示部１５２に表示される。その後、その投票のデータの送信１４４を行えば、会員はクーポン取得１３３という結果を得る。
【００８３】
次に、図３の情報送信プログラム１９４、図４のＤＢ蓄積プログラム４０について説明する。情報送信プログラム１９４は、会員の携帯電話機１に組み込むようにするか、本システムに関連するウェブプログラムの起動に伴い、自動的にダウンロードするようにする。情報送信プログラム１９４は、図１に示すように、会員が店舗検索１２１を実行した旨、広告閲覧１２２を実行した旨の送信１４２を逐一行う。
【００８４】
また、図１に示すように、ＧＰＳによる誘導１２３で位置情報を取得した旨、投票＆クーポン取得機能１３でＧＰＳ情報取得１３２を行なった旨の送信１４４を逐一行う。これらの動作により、情報送信プログラム１９４は、会員の店舗検索１２１を通して検索履歴を送信し、ＧＰＳによる誘導１２３、ＧＰＳ情報取得１３２を通じて、位置情報を送信する。さらに、情報送信プログラム１９４は、これらの会員の行動に関連付けて会員のＩＤコードの送信１４２、１４３を行う。
【００８５】
なお、情報送信プログラム１９４は、説明のため、検索プログラム５０等と切り離して説明したが、検索指示プログラム１２０、投票＆クーポン取得プログラム１３０の一部のステップとして構成しても良いし、サブプログラムとしても良い。また、検索指示プログラム１２０では、検索指示時に会員のＩＤコードを送信するから、この動作で代用することも可能である。投票＆クーポン取得プログラム１３０も同様に代用できる。
【００８６】
図４のＤＢ蓄積プログラム４０は、情報送信プログラム１９４が送信した会員の行動をデータベース２１に整理して、蓄積する。図１に示すように、データベース２１内部のデータベースは互いに関連付けられている。
【００８７】
例えば、会員が店舗検索１２１の後にＧＰＳによる誘導１２３を行った場合には、検索履歴ＤＢ４２と位置情報ＤＢ４３のデータが互いに参照できるようにする。また、これらの動作と共に会員ＩＤを送信するから、これらのデータは関連付けられ、検索履歴ＤＢ４２、位置情報ＤＢ４３と、会員ＤＢ４１とが互いに参照できるようにする。
【００８８】
さらに、図１のＧＰＳ情報取得１３２に伴って、位置情報ＤＢ４３と会員ＤＢ４１とが結びつく。また、投票１３１をすることは、結果的に店へ到着１２４をしたことになるから、検索履歴ＤＢ４２として、その情報を格納すると共に、その他の位置情報ＤＢ４３と会員ＤＢ４１と互いに参照できるようにする。
【００８９】
図５の店舗データ３９１、図４の店舗ＤＢ２９４について説明する。これらは、広告配信サーバ２と店主の携帯電話機３のデータ通信を行う場合に、店主の携帯電話機３に店舗名称等を表示する場合に用いる。店舗データ３９１は、店舗名称と、店舗属性（例えば、店舗の業種、規模など）と、店舗ＩＤを格納している。店舗ＤＢ２９４は、店舗データ３９１のデータベースである。データの送受信では、この店舗ＩＤを用いて、店舗を識別する。また、この店舗ＩＤは、例えば、図２（Ａ）で説明した、マーケット分析６を広告配信サーバ２に指示する場合や、客層ターゲットＤＢ２９５から、店主の携帯電話機３のターゲットを識別する場合にも用いる。
【００９０】
図５のマーケット分析プログラム６０、マーケット情報表示プログラム６４、リコメンドプログラム４８０、リコメンド表示プログラム４８１は、前述した図２（Ａ）の具現化する動作を行う。詳細は、後述、図６で説明するが、マーケット情報表示プログラム６４は、広告配信サーバ２に指示して、マーケット分析プログラム６０を実行させる。マーケット分析プログラム６０は、データベース２１のデータを解析して、マーケット分析６を行い、店主の携帯電話機３に送信する。店主の携帯電話機３のマーケット情報表示プログラム６４は、このマーケット分析６の結果を表示する。リコメンド表示プログラム４８１は、広告配信サーバ２に指示して、リコメンドプログラム４８０を実行させる。リコメンドプログラム４８０は、マーケット分析６の評価項目（図６の評価項目６１参照。）のうちの１つをリコメンド４８として、店主の携帯電話機３に送信する。リコメンド表示プログラム４８１は、リコメンド４８の結果を表示する。
図４、図５の広告作成支援プログラム３００は、広告配信サーバ２からダウンロードしたウェブプログラムであり、前述した図２（Ｂ）の特長を具現化する動作を行う。詳細は、後述、図７で説明する。
図４の検索プログラム５０は、前述した会員の携帯電話機１の検索指示プログラム１２０の指示の下、前述した図２（Ｃ）の特長を具現化する動作を行う。詳細は、後述、図８で説明する。
【００９１】
＜マーケット分析、リコメンドの方法の説明＞
次に、図６を用いて、図１右、図２（Ａ）で示したマーケット分析６の実施例についてさらに詳細に説明する。図６は、この実施例を表す図である。図６に示すように、評価項目６１として、広告主の店と同業種の特性６１１と広告主の店の強み６１２、広告主の店の弱み６１３、他の店の強み６１４、他の店の弱み６１５を評価する。これらそれぞれの評価は、図６右にあるような評価指標、即ち顧客属性６３０（年齢６３１、性別６３２、職業６３３、会員の嗜好６３４、独身／既婚６３５を含む）、現在位置６３６の組の頻度で評価する。例えば、「２０代、女性、事務職、趣味が町歩き、独身、現在位置が祇園の人」がどの程度の頻度で、店舗検索１２１をしたのかという点を指標として用いる。
【００９２】
図６の広告主の店と同業種の特性６１１は、広告主の店と同業種全体の店舗を、どのような属性の会員が検索したかを、前述の評価基準について評価したものであり、（会員属性６３０、位置情報）のパターンの最頻値をこれらの指標がなす多次元空間の中から算出する。ただし、前述のように、会員属性６３０は１次元の指標ではなく、年齢６３１等を含む多次元の指標である。例えば、評価項目６１の広告主の店と同業種の特性６１１の結果を、「２０代、女性、事務職、趣味が町歩き、独身、現在位置が祇園の人」という風に結果を出す。以下の評価（６１２〜６１５）も同様に、多次元の指標とする。
【００９３】
ここで、本実施形態のシステムで利用できる業種は、主として、店舗を構えている事業であり、例えば、飲食店、レストラン、喫茶店、居酒屋、みやげ物屋、雑貨店、スーパー、専門店などが挙げられる。
【００９４】
図６の広告主の店と同業種の特性６１１の計算方法は、以下のとおりとする。まず、位置情報ＤＢ４３から同業種のデータ抽出４３１を行う。同業種のデータ抽出４３１は、広告主と同業種の店舗のいずれかを検索した会員の検索記録を抽出したものである。検索履歴ＤＢ４２は、前述のとおり、会員ＤＢ４１および位置情報ＤＢ４３と関連付けられている。もちろん、検索履歴ＤＢ４２から抽出した同業種のデータ抽出４３１も同様である。そこで、同業種のデータ抽出４３１の結果に関連するデータベースの参照６２を行う。そして、会員ＤＢ４１に含まれる会員属性６３０の項目、検索履歴ＤＢ４２に含まれるＧＰＳ情報について、評価指標の集計６３を行い、（会員属性６３０、位置情報）のパターンの最頻値を求める。
【００９５】
広告主の店の強み６１２は、広告主の店舗をどのような（会員属性６３０、位置情報）を持つ会員が検索したかを、前述の評価基準について評価したものであり、（会員属性６３０、位置情報）のパターンの最頻値をこれらの多次元空間の中から算出する。これを評価することにより、広告主の店舗に良く来る客層の属性を知ることができる。広告主の店の強み６１２の計算方法は、基本的には同業種のデータ抽出４３１と同様であるが、広告主のデータ抽出４３２を行ってこれに関連付けられた（会員属性６３０、位置情報）の最頻値を算出する点が異なる。
【００９６】
広告主の店の弱み６１３は、広告主の店の強み６１２と同様の評価項目であるが、（会員属性６３０、位置情報）のパターンの頻度の最小値をこれらの多次元空間の中から算出する点が異なる。これを評価することにより、広告主の店舗にあまり来ない客層の属性を知ることができる。広告主の店の弱み６１３は、広告主の店の強み６１２と同じく、広告主のデータ抽出４３２を行なった抽出結果を基にして計算する。
【００９７】
他の店の強み６１４、他の店の弱み６１５は、上記評価項目の６１３、６１４と同様の計算を行うが、他の広告主のデータ抽出４３３を行なった抽出結果を基にして計算する。
【００９８】
図６で示したマーケット分析６に引き続くリコメンド４８（図１、図２（Ａ）参照。）は、図３のリコメンドプログラム４８０、リコメンド表示プログラム４８１により動作させる。リコメンドプログラム４８０は、評価項目６１のうちのいずれかの（会員属性６３０、位置情報）のパターンを、図１のターゲット設定３２で広告を打つターゲットとして推奨（リコメンド）する。例えば、広告主の店の強み６１２についての結果を、このターゲットとして推奨する。リコメンドプログラム４８０の結果は、図１に示すように送信２４３により店主の携帯電話機３に伝達され、リコメンド表示プログラム４８１により、リコメンド４８の動作を行う。また、ターゲット設定３２では、このリコメンド４８の表示結果をターゲットとしてそのまま用いることができるようにする。
【００９９】
なお、以上のマーケット分析６の説明では、（会員属性６３０、位置情報）のパターンを選択したが、それぞれの評価指標の最頻値、または頻度が低いものを選択して、分析結果としても良い。
【０１００】
＜広告作成の動作フローの説明＞
次に、図７を用いて、図２（Ｂ）で示した特徴２を具現化する広告作成３１の動作フローについて説明する。図７は、広告登録機能３０に含まれる広告作成３１の画面フローを表す図である。なお、広告登録機能３０は、図５の広告作成支援プログラム３００を動作させることにより機能する。また、広告作成支援プログラム３００は、図１に示すように、ウェブプログラムとして、広告配信サーバ２からダウンロードする。
【０１０１】
図７のＳＴ１は、店主の携帯電話機３にメニュー５５１を表示部１５２に表示し、図３の操作部１５１でこのメニューの選択を受け付ける。ここでは広告主は「広告を作る」を選択した場合に、広告作成支援プログラム３００が起動する。
ＳＴ２では、広告のタイトルを入力するよう誘導する。画面５５２に示すような「タイトルを決めてください」という表示を表示部１５２で行う。また、このタイトル欄で文字入力を操作部１５１から受け付ける。例えば「秋の味覚大売出し」と入力することができる。
ＳＴ３では、店舗名称５５４を入力するよう誘導すると共に、この入力を受け付ける。画像５５３に示すように、広告主は、操作部１５１により、例えば「味処ｘｘ」と入力できる。
【０１０２】
図７のＳＴ４では、画像５７１を選択して張り付けるよう誘導する。例えば、画面５６１に示すように画像５７１を貼り付けられるようにし、画像の選択を受け付ける。この画像５７１は、カメラ１５３で撮像したものを用いる。また、この画像５７１は、外部機器（不図示。）に接続して店主の携帯電話機３のメモリ１９に入力したデータを用いても良い。ＳＴ４では、画像５７１に付随して、画面５６１の下欄に示すようなコメントの入力を受け付ける。画像５６１に示すように、広告主は、操作部１５１により、例えば「ｘｘｘは、普段着の京料理が食べられる店です。」と入力できる。
【０１０３】
図７のＳＴ５〜ＳＴ７では、画像５６２〜５６４に示すように、ＳＴ４と同様、画像５７２〜５７４を選択できるようにし、これらに付随して、画像５６２〜５６４の下欄に示すような、コメントの入力を受け付ける。
【０１０４】
以上のＳＴ５〜ＳＴ７の操作により、４コマの画像とコメントのセットからなる広告を作成できる。これにより携帯電話の機能の制約に配慮することができ、携帯電話のカメラ１５３の機能を利用して、機動的かつ容易に広告を配信できる。
【０１０５】
なお、図７で示した広告作成は、修正が可能である。図７は、初めから広告を作成する場合の画面のフローを示しているが、いったん広告を作成した場合には、広告作成支援プログラム３００は、ＳＴ２〜ＳＴ７の順に画面表示を変更させて、その一部の画像や、コメントの変更を受け付ける。例えば、日替わりランチメニューを表示する場合であれば、ページ２だけを毎日変更できるようにするなどの修正が可能である。
【０１０６】
また、図１の会員の携帯電話機１の広告閲覧１２２では、ＳＴ３〜ＳＴ７で示した画面５５３、５７１〜５７４を順番に表示する。
【０１０７】
＜検索プログラムのフロー＞
図８、図９を用いて、図２（Ｃ）で示した特徴３を具現化する検索プログラム５０のフローについて説明する。図８は、図１で示した本実施形態の広告配信システムのうち、この検索に関連する部分を抜粋すると共に、検索プログラム５０に関連する部分を図示している。図８のフロー５０ａ、図９のフロー５０ｂは、この検索プログラム５０のフローを表している。いずれのフローも並列的に実施するものであり、動作の順序はいずれが先でも良い（図示の容易のため、ａ，ｂに分けて示している。）。会員の携帯電話機１から、店舗検索１２１の指示が検索指示プログラム１２０により行われると、広告配信サーバ２にその旨が送受信１０１されて、広告配信サーバ２は、検索プログラム５０をフロー５０ａ，ｂに沿って、実行させる。
図８を用いて、フロー５０ａについて説明する。フロー５０ａは、フロー会員が指示した検索キーに基づいて広告ＤＢ２３を検索するが、広告主のターゲット設定３２で設定したターゲットに合致するもののみ配信するため、さらに絞り込み検索をするものである。
【０１０８】
ＳＴ１１では、会員の検索指示通り、広告情報のクエリを抽出する。このクエリは、店主の携帯電話機３から配信され、広告配信サーバ２で蓄積された広告ＤＢ２３から、会員の検索キーを基に抽出したものである。
【０１０９】
図８のＳＴ１２では、店舗検索１２１を行なった会員の属性をさらに取得する。店舗検索１２１の指示は、会員のＩＤコードを伴って広告配信サーバ２に送信される。ＳＴ１２ではこの会員のＩＤコードをキーにして、会員ＤＢ４１を検索し、図１に示すような、年齢、性別等からなる会員の属性を取得する。
【０１１０】
図８のＳＴ１３では、さらに、ＳＴ１１で生成したクエリを、会員属性をキーにして絞り込む。その際、会員ＤＢ４１に結び付けられた客先ターゲットＤＢ２９５を参照し、これに合致するものを抽出する。なお、この客先ターゲットＤＢ２９５は、前述のとおり、店主が広告を配信したい会員の属性をデータベース化したものである。その後、フロー５０ａは終了する。
【０１１１】
図９を用いて、フロー５０ｂについて説明する。このフロー５０ｂは、会員が指示した検索キーにかかわらず、おすすめ情報を会員の携帯電話に送信するものである。
ＳＴ２１では、ＳＴ１２と同様である。ＳＴ２１では、店舗検索１２１を行なった会員の属性をさらに取得する。店舗検索１２１の指示は、会員のＩＤコードを伴って広告配信サーバ２に送信される。ＳＴ２１では、さらに、この会員のＩＤコードをキーにして、会員ＤＢ４１を検索し、図１に示すような、年齢、性別等からなる会員の属性を取得する。
【０１１２】
ＳＴ２２では、会員属性をキーにして、その際、会員ＤＢに結び付けられた客先ターゲットＤＢ２９５を参照し、これに合致するクエリを抽出する。この客先ターゲットＤＢ２９５は、前述のとおり、店主が広告を配信したい会員の属性をデータベース化したものである。
【０１１３】
ＳＴ２３では、ＳＴ２２で抽出したクエリのうち、ランダムに選択する。ＳＴ２２で抽出したものは項目数が多すぎるから、おすすめ情報として表示するには、会員の携帯電話機１の表示面積の都合上、好ましくない。そこで、広告情報をランダムに抽出することとしている。ただし、ランダムといっても、全く表示されないことがたまたま生じたとすれば、店主として不満が残る。そこで、今まで、広告として表示されていないものから優先的に表示されるようにする。その後、フローｂは終了する。
【０１１４】
検索プログラム５０の検索結果の送受信１０１をして、会員の携帯電話機１では、検索結果の広告閲覧１２２ができる。
【０１１５】
図１０を用いて、広告閲覧のフローについて説明する。図１０は、広告閲覧フロー１２２ａを表しており、このフロー１２２ａは、実装上は、図示しない会員の携帯電話機１のメモリ１９内に、広告配信サーバ２からダウンロードしたプログラムにより動作させる。
【０１１６】
ＳＴ３１では、図８、図９で示したフロー５０ａ、ｂに基づいて、動作した検索プログラム５０が抽出した検索結果の一覧を表示する。
【０１１７】
ＳＴ３２では、ＳＴ３１で表示した広告から広告選択を受け付ける。ここでは、図３表示部１５２にその選択を促すような表示を行い、操作部１５１から選択を受け付ける。選択がない場合にはＮとなり、待機する。選択があった場合には、Ｓ３３に進む。
【０１１８】
ＳＴ３３では、選択した広告のＩＤコードと、および広告ＤＢ２３から広告を選択して送信するよう要求する旨の信号を広告配信サーバ２に送る。広告配信サーバ２内の図示しないプログラムが、広告ＤＢ２３からＳＴ３３で送信した広告のＩＤコードに対応する広告の詳細な情報を会員の携帯電話機１に対して送信する。
【０１１９】
ＳＴ３４では、広告配信サーバ２から受信した、この広告の詳細な情報を表示する。その後フローは終了する。
【０１２０】
＜本実施形態の広告配信システムのビジネスモデル＞
次に、図１１を用いて、本実施形態の広告配信システムのビジネスモデルについて説明する。図１１は、このビジネスモデルの連環図を示しており、会員が得るもの７と広告配信サーバが得るもの８と店主が得るもの９の観点から示している。店主が得るべき最終目的は客の増加９１であり、これを得るためには、広告配信システムのビジネスモデルとして、客が店主の店舗に、敷居が高くなく、無理なくたどり着けるようにすることが望ましい。そのためには、客が能動的に「行ってみたい」と思わせるように、客自身が能動的なにたどり着ける「より能動的なステップの提供７２」が必要であるし、手続き的にも、感情的にも「段階的なステップの提供７４」をすることが望ましい（「あなたの会社が90日で儲かる!―感情マーケティングでお客をつかむ」ｐ１４０、神田  昌典(著)参照。）。例えば、見たくもないメールを送りつけられるのは、能動的でなく、感情的に無理が生じるし、地図も全く分からなければ、手続き的にも感情的にも無理が生じる。
【０１２１】
そこで、本実施形態のシステムでは、ＧＰＳ情報付きの有用な情報＆検索７１を提供することで、もっと、その検索指示プログラム１２０（図３参照。）を使用してみたいと思わせることにより、会員をより能動的に動員させる工夫がなされている（図１１の７２）。また、ＧＰＳ機能付きの会員の携帯電話機１のＧＰＳ誘導プログラム１２５（図３参照。）により、会員は確実に店舗にたどり着く７３という効果を得るから、段階的なステップの提供７４がなされており、これら７２、７４により無理なく、店主の店舗にたどり着けることになり、客の増加９１を得ることができる。
【０１２２】
また、ＧＰＳ情報付きの有用な情報＆検索７１をした場合には、情報送信プログラム１９４（図３参照。）により、その行為のデータが逐一広告配信サーバ２に報告されているから、広告配信サーバ２は、大量の会員（顧客）情報８１を会員の現在位置の情報を伴って得ることができ（図１のデータベース２１参照。）、これに基づいて、マーケティング情報生成８２という結果を得ることができる（図４のマーケット情報表示プログラム６４参照。）。
【０１２３】
店主は、広告配信サーバ２から、マーケティング情報を、会員の現在位置の情報を伴って得ることができる。この情報は、店主の店舗にいなくともどこでも得ることができる。会員の現在位置の情報という新鮮な情報に機動的に対応するため、本システムは、カメラ付き携帯電話機＆（予め定めた）雛形９４という広告登録のための広告作成支援プログラム３００（図５参照。）を備えている。これにより、チャンスを逃さない機動的な広告登録＆配信９３という結果を店主が得る。したがって、例えば、「呼び寄せるまでもなく、初めから近くにいる客」に対し、直ちにターゲットを絞り込んだ機動的な対処が可能になる。
【０１２４】
そして、図１１の７５に示すように、会員としては、マーケティング情報に基づいた会員のニーズにあったものを得ることができることが期待できる。しかも、これは会員の位置情報に基づきジャストタイミングで得られることが期待できる。例えば、「近いから行ってみようか」ということになり得、図１１の７６に示すように、店舗検索１２１（図１参照。）の付加価値が高まる。そうすると、図１１の７１に示す有用な情報＆検索７１はますます有用性を増し、より能動的なステップの提供７２が実現され、客の増加９１に結びつくことが期待できる。
【図面の簡単な説明】
【０１２５】
【図１】本実施形態の広告配信システムの構成の概要を機能面から示した図
【図２】本実施形態の広告配信システムの主な特長を示した図
【図３】本実施形態の広告配信システムの会員の携帯電話機の構成図
【図４】本実施形態の広告配信システムの広告配信サーバの構成図
【図５】本実施形態の広告配信システムの店主の携帯電話機
【図６】本実施形態の広告配信システムのマーケット分析の実施例を表す図
【図７】本実施形態の広告配信システムの広告作成の画面フロー図
【図８】本実施形態の広告配信システムの店舗検索プログラムのフロー図Ａ
【図９】本実施形態の広告配信システムの店舗検索プログラムのフロー図Ｂ
【図１０】本実施形態の広告配信システムの広告閲覧のフロー図
【図１１】本実施形態の広告配信システムのビジネスモデルの連環図
【符号の説明】
【０１２６】
１−会員の携帯電話機、  １Ａ−外観構成、  １Ｂ−内部構成
１０１〜１０２−送受信、  １１−会員登録、  １１０−会員登録プログラム
１１１−会員データ
１２−検索＆誘導機能、  １２０−検索指示プログラム、  １２１−店舗検索
１２２−広告閲覧、  １２３−ＧＰＳによる誘導、  １２４−店へ到着
１２５−ＧＰＳ誘導プログラム
１３−投票＆クーポン取得機能、  １３０−投票＆クーポン取得プログラム
１３１−投票、  １３２−ＧＰＳ情報取得、  １３３−クーポン取得
１４１〜１４４−送信
１５１−操作部、  １５２−表示部、  １５３−カメラ、  １５４−アンテナ
１６１−ＣＰＵ、  １６２−画像処理部、  １６３−送受信部
１６４−ＧＰＳ受信部
１９−メモリ、  １９１−広告データ、  １９２−地図データ
１９４−情報送信プログラム
２−広告配信サーバ、  ２Ａ−外観構成、  ２Ｂ−内部構成
２１−データベース、  ２２−地図ＤＢ、  ２３−広告ＤＢ
２４１〜２４３−送信、  ２４４−ダウンロード
２５１−キーボード、  ２５２−ディスプレイ、  ２６１−ＣＰＵ
２６２−画像処理部、  ２６３−送受信部、  ２６４−メモリ
２９−記憶装置、
２９４−店舗ＤＢ、  ２９５−客層ターゲットＤＢ
３−店主の携帯電話機、  ３Ａ−外観構成、  ３Ｂ−内部構成
３０−広告登録機能、  ３００−広告作成支援プログラム、  ３１−広告作成
３２−ターゲット設定、  ３３−ＧＰＳ情報貼り付け、  ３４−アップロード
３５１−送信、３５２−送信、  ３６−昼のランチに間に合う
３９１−店舗データ
４０−ＤＢ蓄積プログラム、４１−会員ＤＢ、  ４２−検索履歴ＤＢ
４３−位置情報ＤＢ、  ４３１−同業種のデータ抽出、４３２−広告主のデータ抽出
４３３−他の広告主のデータ抽出
４４−会員の行動、  ４５−情報蓄積、  ４８−リコメンド
４８０−リコメンドプログラム、  ４８１−リコメンド表示プログラム
５０−検索プログラム
５２−フィルタ、  ５３−会員の属性の参照、  ５４−検索結果
６−マーケット分析、  ６０−マーケット分析プログラム
６１−評価項目、  ６１１−広告主の店と同業種の特性、  ６１２−広告主の店の強み
６１３−広告主の店の弱み、  ６１４−他の店の強み、  ６１５−他の店の弱み
６３０−会員属性
６３１−年齢、  ６３２−性別、  ６３３−職業、  ６３４−会員の嗜好、
６３５−独身／既婚、  ６３６−現在位置、  ６４−マーケット情報表示プログラム
【図１】
2007188150.tif 000003
【図２】
2007188150.tif 000004
【図３】
2007188150.tif 000005
【図４】
2007188150.tif 000006
【図５】
2007188150.tif 000007
【図６】
2007188150.tif 000008
【図７】
2007188150.tif 000009
【図８】
2007188150.tif 000010
【図９】
2007188150.tif 000011
【図１０】
2007188150.tif 000012
【図１１】
2007188150.tif 000013